(57)【要約】【課題】移動通信端末機の待機画面に言葉をディスプレイする方法を提供する。【解決手段】本発明に係るミニプランナー機能を利用して移動通信端末機の待機画面に言葉をディスプレイする方法は、特定のイベントと連関させた一つ以上の言葉を設定して、該特定イベントが発生するときに、連関する言葉を待機画面にディスプレイする。このとき、ディスプレイ特性が各言葉に対して設定されていれば活性化される。あるいは、それぞれの言葉を、ディスプレイする開始時刻及び終了時刻と連関させることができ、現在時刻がそのディスプレイ時間内になると、該当する一つ以上の言葉をディスプレイする。【選択図】図４
2008021306.tif 000002
【特許請求の範囲】
【請求項１】
複数のイベントのいずれかと連関させた複数の言葉を設定する段階と、  
メモリに前記言葉を記憶する段階と、
前記イベントのいずれかが発生したときに、当該イベントと連関した前記言葉をディスプレイする段階と、
を含むことを特徴とする移動通信端末機の待機画面に言葉をディスプレイする方法。
【請求項２】
前記ディスプレイする言葉をオーディオ変換する段階と、
該変換後のオーディオをスピーカーから再生する段階と、
をさらに含むことを特徴とする請求項１記載の方法。
【請求項３】
前記イベントは、スライド開閉式移動通信端末機のスライド動作、折り畳み式移動通信端末機の開閉動作、所定キーの操作、及び使用者の端末機タッチの少なくとも一つを含むことを特徴とする請求項１記載の方法。
【請求項４】
前記言葉のそれぞれに対するディスプレイ特性を設定する段階をさらに含み、
該ディスプレイ特性は、表示位置、動き特性、文字色相、及び背景色相の少なくとも一つを含むことを特徴とする請求項１記載の方法。
【請求項５】
前記ディスプレイ特性は、前記言葉それぞれに対して個別的に活性化されることを特徴とする請求項４記載の方法。
【請求項６】
開始時刻及び終了時刻によって定義されるディスプレイ時間と連関させた複数の言葉を設定する段階と、
前記言葉をメモリに記憶する段階と、
現在時刻が前記開始時刻に達したときに、当該ディスプレイ時間と連関する前記言葉をディスプレイする段階と、
を含むことを特徴とする移動通信端末機の待機画面に言葉をディスプレイする方法。
【請求項７】
前記現在時刻が前記ディスプレイ時間内にあると、連関する一つ以上の前記言葉を同時にディスプレイすることを特徴とする請求項６記載の方法。
【請求項８】
前記ディスプレイする言葉をオーディオ変換する段階と、
該変換後のオーディオをスピーカーから再生する段階と、
をさらに含むことを特徴とする請求項６記載の方法。
【請求項９】
前記言葉のそれぞれに対するディスプレイ特性を設定する段階をさらに含み、
該ディスプレイ特性は、表示位置、動き特性、文字色相、及び背景色相の少なくとも一つを含むことを特徴とする請求項６記載の方法。
【請求項１０】
前記ディスプレイ特性は、前記言葉それぞれに対して個別的に活性化されることを特徴とする請求項９記載の方法。
【請求項１１】
ディスプレイと、
複数のイベントのいずれかと連関させた複数の言葉を設定するための入力装置と、
前記言葉を記憶するメモリと、
前記イベントのいずれかが発生したときに、該当する前記言葉を前記ディスプレイに表示するコントローラと、
を含んで構成されることを特徴とする移動通信端末機。
【請求項１２】
前記イベントは、スライド開閉式移動通信端末機のスライド動作、折り畳み式通信端末機の開閉動作、所定キーの操作、及び使用者の端末機タッチの少なくとも一つを含むことを特徴とする請求項１１記載の移動通信端末機。
【請求項１３】
前記表示する言葉をオーディオ変換するオーディオプロセッサと、
該変換後のオーディオを再生するスピーカーと、
をさらに含むことを特徴とする請求項１１記載の移動通信端末機。
【請求項１４】
前記コントローラは、
前記言葉のそれぞれに対するディスプレイ特性を設定するためのメニュー窓をディスプレイし、
該ディスプレイ特性は、表示位置、動き特性、文字色相、及び背景色相の少なくとも一つを含むことを特徴とする請求項１１記載の移動通信端末機。
【請求項１５】
前記ディスプレイ特性は、前記言葉それぞれに対して個別的に活性化されることを特徴とする請求項１４記載の移動通信端末機。
【請求項１６】
前記ディスプレイは、外部ディスプレイ及び内部ディスプレイを備え、
前記コントローラは、前記外部ディスプレイと前記内部ディスプレイとにそれぞれ異なる前記言葉をディスプレイすることを特徴とする請求項１１記載の移動通信端末機。
【請求項１７】
ディスプレイと、
開始時刻及び終了時刻によって定義されるディスプレイ時間と連関させた複数の言葉を設定するための入力装置と、
前記複数の言葉を記憶するメモリと、
現在時刻が前記開始時刻に達したときに、当該ディスプレイ時間と連関する前記言葉をディスプレイするコントローラと、
を含んで構成されることを特徴とする移動通信端末機。
【請求項１８】
前記現在時刻が前記ディスプレイ期間内にあると、連関する一つ以上の前記言葉を同時にディスプレイすることを特徴とする請求項１７記載の移動通信端末機。
【請求項１９】
前記ディスプレイする言葉をオーディオ変換するためのオーディオプロセッサと、
該変換後のオーディオを再生するためのスピーカーと、
を含むことを特徴とする請求項１７記載の移動通信端末機。
【請求項２０】
前記コントローラは、
前記言葉のそれぞれに対するディスプレイ特性を設定するためのメニュー窓をディスプレイし、
該ディスプレイ特性は、表示位置、動き特性、文字色相、及び背景色相の少なくとも一つを含むことを特徴とする請求項１７記載の移動通信端末機。
【請求項２１】
前記ディスプレイ特性は、前記言葉それぞれに対して個別的に活性化されることを特徴とする請求項２０記載の移動通信端末機。
【発明の詳細な説明】
【技術分野】
【０００１】
本発明は、移動通信端末機に関し、特に、移動通信端末機の待機画面に言葉をディスプレイする方法に関する。
【背景技術】
【０００２】
一般的に、待機（待受）画面とは、移動通信端末機が待機状態にあるか又は特定機能を遂行していない時にディスプレイされるデフォルト画面である。使用者は、待機画面において電子カレンダー、時計、所望の言葉（単語や文句など）をディスプレイするような設定を行うことができる。従来の移動通信端末機では、使用者の設定によるただ一つの言葉のみを待機画面にディスプレイすることができる。
【発明の開示】
【発明が解決しようとする課題】
【０００３】
従来は、一つの言葉しか設定できなかったので、使用者が新しい言葉を表示しようと思った場合、設定メニューを利用して言葉を新しく入れ直さなければならない。また、使用者によって設定された言葉を単に待機画面にディスプレイするだけであり、視覚的あるいは聴覚的効果が薄い。
【０００４】
本発明はこのような課題に着目したもので、移動通信端末機の待機画面に言葉をディスプレイする新たな方法と、これを実行する移動通信端末機を提供する。
【課題を解決するための手段】
【０００５】
本発明では、多様なテクニックを利用して使用者によって設定された複数の言葉（単語や文句など）を待機画面にディスプレイするためのミニプランナー（mini planner）機能を利用する。
【０００６】
本発明の一側面によれば、待機画面に言葉をディスプレイする方法は、複数のイベントのいずれかと連関させた複数の言葉を設定する段階と、該言葉をメモリに記憶する段階と、前記イベントのいずれかが発生したときに、当該イベントと連関した前記言葉をディスプレイする段階と、を含むことを特徴とする。
【０００７】
当該方法では、前記ディスプレイする言葉のオーディオ変換を実行する段階と、該変換後のオーディオをスピーカーから再生する段階と、をさらに含むことができる。複数のイベントとしては、スライド開閉式移動通信端末機のスライド動作、折り畳み式移動端末機の開閉動作、所定キーの操作、及び使用者の端末機タッチの一つ以上を含む。
【０００８】
当該方法は、前記言葉に対するディスプレイ特性を設定する段階をさらに含むことができる。そのディスプレイ特性は、表示位置、動き特性、文字色相、及び背景色相の一つ以上を含む。各ディスプレイ特性は前記言葉それぞれに対して個別的に活性化させることができる。
【０００９】
また、本発明の他の側面によれば、ディスプレイ開始時刻とディスプレイ終了時刻を、複数の言葉にそれぞれ連関させることができ、現在時刻がディスプレイ時間内に属すれば該当の言葉がディスプレイされる。現在時刻がディスプレイ時間内にある場合、該当する一つ以上の言葉がディスプレイされ得る。
【００１０】
また、本発明の他の側面によれば、本発明に係る移動通信端末機は、ディスプレイと、複数のイベントのいずれかと連関させた複数の言葉を設定するための入力装置と、該言葉を記憶するメモリと、前記イベントのいずれかが発生したときに、該当する前記言葉を前記ディスプレイに表示するコントローラと、を含んで構成される。
【００１１】
また、本発明の他の側面によれば、ディスプレイ開始時刻とディスプレイ終了時刻を、複数の言葉にそれぞれ連関させることができ、現在時刻がディスプレイ時間内に属すれば該当の言葉が表示される。現在時刻がディスプレイ時間内にある場合、該当する一つ以上の言葉が表示され得る。
【発明の効果】
【００１２】
本発明によれば、使用者によって設定された二つ以上の言葉が多様な方式で待機画面にディスプレイされる。すなわち、待機画面に言葉を計画的に表示するミニプランナー機能が効率的に使われ、多様な視覚、聴覚効果が使用者に提供される。
【発明を実施するための最良の形態】
【００１３】
以下、本発明による具体的な実施形態を、添付図面を参照して説明する。
【００１４】
図１は、本発明の一実施形態による移動通信端末機のブロックダイヤグラムである。この例の移動通信端末機１００は、無線送受信機１１０、データプロセッサ１２０、オーディオプロセッサ１３０、メモリ１４０、入力装置１５０、ディスプレイ１６０、タイマ１７０、及びコントローラ１８０を含む。
【００１５】
無線送受信機１１０は、移動通信端末機１００の通信機能を遂行し、送信信号をアップコンバーティングして増幅するＲＦ送信機と、受信信号を増幅してダウンコンバーティングするＲＦ受信機と、を含む。データプロセッサ１２０は、送信信号を符号化（ｅｎｃｏｄｉｎｇ）して変調する送信機と、受信信号を復号化（ｄｅｃｏｄｉｎｇ）して復調する受信機と、を含む。オーディオプロセッサ１３０は、データプロセッサ１２０によって復号化されるオーディオ信号を再生したり、マイクロホンによって生成されるオーディオ信号をデータプロセッサ１２０に送る機能をもつ。
【００１６】
本実施形態におけるオーディオプロセッサ１３０は、コントローラ１８０の制御によって、使用者によって設定される言葉（単語や文句など）を認識可能な音声に変換し、変換後の音声をスピーカー（図示せず）に提供する。
【００１７】
メモリ１４０は、少なくとも一つのプログラムメモリとデータメモリとを含む。プログラムメモリは、移動通信端末機１００の一般的な動作を制御するためのプログラムを記憶している。本例のメモリ１４０は、使用者によって設定される言葉を待機画面にディスプレイするためのソフトウェアプログラム及びデータを記憶する。また、メモリ１４０は、使用者によって設定される言葉及びこれに連関するディスプレイ設定情報を記憶する。ディスプレイ設定情報は、待機画面にディスプレイする言葉の表示方式に関する情報である。ディスプレイ設定情報は後でさらに詳しく説明する。
【００１８】
ディスプレイ１６０は、移動通信端末機１００で提供する情報、多様なメニュー画面を表示し、ＬＣＤ（Ｌｉｑｕｉｄ  Ｃｒｙｓｔａｌ  Ｄｉｓｐｌａｙ）やＯＬＥＤ（Ｏｒｇａｎｉｃ  Ｌｉｇｈｔ  Ｅｍｉｔｔｉｎｇ  Ｄｉｏｄｅ）を利用したものとすることができる。また、ディスプレイ１６０としては、外部（サブ）ディスプレイと内部（メイン）ディスプレイの少なくとも二つを含んだものとすることもできる。
【００１９】
本実施形態によるディスプレイ１６０は、コントローラ１８０の制御によって、使用者によって設定される言葉を待機画面にディスプレイする。その言葉は、あらかじめ設定された方式に従ってディスプレイされる。たとえば、色相変更機能が設定されている場合、ディスプレイ１６０は、言葉を変更色相でディスプレイすることができる。また、色相が特定値に設定されている場合、ディスプレイ１６０は、既設の特定色相でディスプレイすることができる。さらに、フロー効果が設定されている場合、ディスプレイ１６０は、待機画面の右側から左側、または左側から右側へ、言葉をスクロールさせることができる。そして、ハイライト効果が設定されている場合、言葉をハイライト表示することができる。
【００２０】
入力装置１５０は、数字及び文字情報を入力するための各種キーを含み、また、多様な機能を設定するための少なくとも一つの機能キーを含む。このような入力装置１５０は、方向キーを含むキーパッド、ジョグルダイヤル、タッチスクリーン、ジョイスティックなどを含んで具現することができる。
【００２１】
本例の入力装置１５０は、待機画面にディスプレイする言葉を使用者が操作して入力し、入力された言葉のデータをコントローラ１８０に送る。複数の言葉を受け付けることができるし、その各言葉のディスプレイ時間も受け付けることができる。たとえば、待機画面において、午前８時から午後５時までは“禁煙すること”、午後５時から午後８時までは“運動すること”、午後８時から午後１２時までは“禁酒すること”と言う言葉がディスプレイされるように、使用者は、入力装置１５０を通じて言葉を入力することができる。言葉とこれに対するディスプレイ時間は、コントローラ１８０の制御によってメモリ１４０に記憶される。
【００２２】
タイマ１７０は、コントローラ１８０に現在の時刻情報を提供する。
【００２３】
コントローラ１８０は、端末機１００の一般的な動作制御を遂行する。特に本例のコントローラ１８０は、メモリ１４０に記憶された言葉のディスプレイ時刻とタイマ１７０によって提供される現在時刻情報とを比べ、現在時刻が言葉のディスプレイ時刻になると、該当の言葉をディスプレイ１６０にディスプレイする。
【００２４】
図２は、待機画面に言葉を計画的に表示するミニプランナー機能を設定するための画面例を示す。使用者は、待機画面設定メニューからミニプランナー機能を設定することができる。ミニプランナー機能は、使用者によって設定される特定の言葉、例えば、“禁煙すること”、“運動すること”、“禁酒すること”といった言葉をディスプレイする。また、当該メニューでは、時計や電子カレンダーのような付加的なディスプレイ機能も設定することができる。
【００２５】
図３Ａ〜図３Ｄは、本実施形態において、ミニプランナー機能を利用して言葉を待機画面に提供する過程を説明した画面例である。
【００２６】
図３Ａを参照すれば、使用者の操作に従ってスケジュール管理メニューに進入し、スケジューラ、メモ、ミニプランナー、日付検索（ａ  ｄａｔｅ  ｓｅａｒｃｈ）、日付カウンタ（ａ  ｄａｔｅ  ｃｏｕｎｔｅｒ）を含むスケジュール管理メニュー画面３１０をディスプレイする。
【００２７】
使用者がスケジュール管理メニュー画面３１０で、３番“ミニプランナー”メニューを選択すれば、図３Ｂに示すように、待機画面言葉入力画面３２０がディスプレイされる。使用者は、待機画面言葉入力画面３２０を利用して、特定の言葉を設定することができる。
【００２８】
“私は出来る”という言葉が入力（あるいは選択）された後、設定３３２またはメニュー３３０が選択された場合、ポップアップ形態でディスプレイされるサブメニュー３３４において使用者が３番“設定メニュー”を選択すれば、図３Ｃに示す言葉設定画面３４０がディスプレイされる。
【００２９】
図３Ｃを参照すれば、言葉設定画面３４０においては、使用者によって設定された言葉をチェックするためのプレビュー画面３４１と、待機画面における言葉の表示位置を決めるためのメニュー窓３４３と、言葉の文字色相（配色）を設定するためのメニュー窓３４５と、言葉をディスプレイする所定領域の背景色相（背景色）を設定するためのメニュー窓３４７と、待機画面に言葉をディスプレイする時間を設定するためのメニュー窓３４９と、が提供される。
【００３０】
ポップアップ形態でディスプレイされるサブメニュー３３４（図３Ｂ）から、６番“効果”メニューを使用者が選択すれば、図３Ｄに示す効果設定画面３５０がディスプレイされる。効果設定画面３５０には、オーディオ効果を設定／解除するためのメニュー窓３５２と、視覚効果を設定／解除するためのメニュー窓３５４と、ディスプレイ効果を設定／解除するためのメニュー窓３５６と、が含まれる。
【００３１】
オーディオ効果が設定された場合、使用者によって設定された言葉は、待機画面にディスプレイされると共にスピーカーから再生される。オーディオプロセッサ１３０は、使用者によって設定された言葉をＴＴＳ（Ｔｅｘｔ−Ｔｏ−Ｓｐｅｅｃｈ）変換を利用してオーディオ変換し、変換後のオーディオをスピーカー（図示せず）に提供する。
【００３２】
待機画面にディスプレイされる言葉は、効果設定画面でセッティングされた視覚効果をもってディスプレイされ得る。視覚効果は、言葉をディスプレイする方式に影響を及ぼすもので、色相効果、フローまたはスクローリング効果、ハイライト効果などを含む。視覚効果が解除されれば、言葉は図３Ｃの言葉設定画面３４０を利用して設定された文字色相及び背景色相によって待機画面にディスプレイされる。
【００３３】
ディスプレイ効果は、交代効果、順次効果、イベント効果を含む。交代効果は、使用者によって入力された複数の言葉を待機画面に交互にディスプレイする。順次効果は、図３Ｃの言葉設定画面３４０を利用して設定された時間手順に従って複数の言葉を順次に待機画面にディスプレイする。イベント効果は、複数の言葉を、対応するイベントによって待機画面にディスプレイする。
【００３４】
図３Ｃに示した言葉設定画面３４０で、複数の言葉に表示時間が設定された場合でも、言葉は、スライド開閉式端末機のスライド動作や折り畳み式端末機の開閉動作、または端末機へのタッチなどの特定の端末機イベントに応じてディスプレイされ得る。
【００３５】
図３Ｅは、使用者によって設定された言葉を待機画面にディスプレイする画面例を示す。使用者によって設定された言葉である“私は出来る！！”にフロー（ｆｌｏｗ）効果が設定されていれば、“私は出来る！！”という言葉がディスプレイ１６０を横切ってスクロールする。
【００３６】
図４は、ミニプランナー機能を利用して待機画面に言葉をディスプレイする方法を説明するためのフローチャートである。
【００３７】
まず、使用者は、入力装置１５０を通じて複数の言葉を入力するために、待機画面言葉入力メニューに進入する（Ｓ４１０）。継いで、使用者は、入力した複数の言葉のディスプレイ時間をそれぞれ入力する（Ｓ４２０）。使用者が記憶メニューを選択すれば、複数の言葉及びその各ディスプレイ時間がメモリ１４０に記憶される。
【００３８】
コントローラ１８０は、現在時刻と、メモリ１４０に記憶されている各言葉のディスプレイ時間とを比べる（Ｓ４３０）。現在時刻が言葉のディスプレイ時間より遅くなっていれば、該当する言葉がディスプレイされる（Ｓ４４０）。そうではなければディスプレイは変更されない。
【００３９】
図５は、ミニプランナー機能を利用して待機画面に言葉をディスプレイする方法の他の例を説明するためのフローチャートである。
【００４０】
使用者は、入力装置１５０を通じて複数の言葉及び連関する特定条件を入力する（Ｓ５１０）。このときの“複数の言葉”には、複数の言葉がディスプレイされる領域の背景色相などのディスプレイ効果、視覚効果、 オーディオ効果、及び特定値に設定されるディスプレイ時間を含む。
【００４１】
コントローラ１８０は、前記特定条件に係る特定イベントが発生するのか否かをチェックする（Ｓ５２０）。このときの“特定イベント”には、スライド開閉タイプまたは折り畳みタイプ端末機のスライド動作または開閉動作、所定のキー操作、端末機１００へのタッチが含まれる。
【００４２】
特定イベントが発生すれば（Ｓ５２０）、コントローラ１８０は、当該特定イベントと連関した言葉をディスプレイする（Ｓ５３０）。 
【００４３】
ディスプレイ１６０として内部（メイン）ディスプレイと外部（サブ）ディスプレイを含む場合、言葉を外部ディスプレイにディスプレイしている状態で移動通信端末機１００のスライドまたは開動作があった場合、コントローラ１８０は、内部ディスプレイに同じ又は他の言葉をディスプレイする。
【図面の簡単な説明】
【００４４】
【図１】本発明に係る移動通信端末機の実施形態を示したブロック図。
【図２】ミニプランナー機能を設定するための画面例。
【図３Ａ】ミニプランナー機能を利用して待機画面にディスプレイする言葉を設定するメニュー画面例。
【図３Ｂ】ミニプランナー機能を利用して待機画面にディスプレイする言葉を設定するメニュー画面例。
【図３Ｃ】ミニプランナー機能を利用して待機画面にディスプレイする言葉を設定するメニュー画面例。
【図３Ｄ】ミニプランナー機能を利用して待機画面にディスプレイする言葉を設定するメニュー画面例。
【図３Ｅ】使用者によって設定された言葉をディスプレイした待機画面の一例。
【図４】ミニプランナー機能を利用して移動通信端末機の待機画面に言葉をディスプレイする方法を説明するフローチャート。
【図５】ミニプランナー機能を利用して移動通信端末機の待機画面に言葉をディスプレイする方法を説明するフローチャートの他の例。
【図１】
2008021306.tif 000003
【図２】
2008021306.tif 000004
【図３Ａ】
2008021306.tif 000005
【図３Ｂ】
2008021306.tif 000006
【図３Ｃ】
2008021306.tif 000007
【図３Ｄ】
2008021306.tif 000008
【図３Ｅ】
2008021306.tif 000009
【図４】
2008021306.tif 000010
【図５】
2008021306.tif 000011